(57)【要約】【課題】入力信号の瞬停復帰時に生じる過大な出力を確実に抑制する。【解決手段】  入力信号を電力増幅する電力増幅器１２の出力レベルを第１の検波器１３で検波して、そのレベルが定格レベルとなるように、電力増幅器１２の入力信号をバリオロッサー１１で減衰する。一方、電力増幅器１２の出力レベルを第２の検波器１８で検波し、この検波出力を遅延回路１９で所定時間遅延して、その遅延前後の信号レベルを比較回路２０で比較し、その比較結果に基づいて電力増幅器１２の出力を選択的にアッテネータ１７に通して減衰させる。すなわち、上記構成によるＡＧＣ回路では、出力段で瞬停直後から瞬停復帰後の電力増幅出力が安定するまでの期間、アッテネータ１７によって出力レベルが抑制されるので、瞬停復帰直後の過大なピーク電力が送出されず、確実に出力信号の電力レベルを定格レベル以下に抑制できる。【選択図】      図１
2005277473.tif 000002
【特許請求の範囲】
【請求項１】
入力信号を増幅する増幅器と、
この増幅器の出力レベルが設定レベルとなるように、前記増幅器の入力信号を減衰する可変減衰手段と、
前記増幅器の出力レベルを検波する検波器と、
この検波器の出力を一定期間遅延する遅延器と、
この遅延器の入出力間の信号レベルを比較する比較器と、
この比較器の比較結果に基づいて前記増幅器の出力を選択的に減衰させる減衰手段とを具備することを特徴とする自動利得制御回路。
【請求項２】
前記減衰手段は、前記増幅器の出力を減衰させる減衰器と、前記比較器の比較結果が許容範囲内のときは前記減衰器を前記増幅器の出力ラインからパスさせ、許容範囲外となるときのみ前記減衰器を接続する切替手段とを具備することを特徴とする請求項１記載の自動利得制御回路。
【請求項３】
前記減衰手段は、少なくとも前記比較器の比較結果が得られるまでに要する時間だけ入力を遅延させる遅延手段を備えることを特徴とする請求項１記載の自動利得制御回路。
【発明の詳細な説明】
【技術分野】
【０００１】
本発明は、主に送信装置において送信出力レベルを一定に保つ自動利得制御回路に係り、入力信号の瞬停時の過出力を抑制し、出力を定格に抑える技術に関する。
【背景技術】
【０００２】
従来から放送局等で用いられる送信装置では、電波法によって送信出力レベルを定格レベル以下に保つ必要があるため、出力段にバリオロッサー（Variolosser：可変減衰器）を用いたＡＧＣ（Auto Gain Control：自動利得制御）回路が設けられている。このＡＧＣ回路は、入力される送信信号をバリオロッサーによりレベル制限して所定利得の電力増幅器で電力増幅して送出するものとし、その際に、送出レベルを検知してバリオロッサーにて送出レベルが設定値となるように送信信号を減衰させる構成となっている（例えば特許文献１参照）。
【０００３】
ところで、上記構成による従来のＡＧＣ回路では、入力される送信信号に瞬停があった場合に、送出レベルの低下によってバリオロッサーが減衰量を少なくするため、瞬停が復帰して送信信号が定常レベルに戻った場合に、バリオロッサーから過大なレベルの送信信号が電力増幅器に与えられることになる。この結果、利得一定の電力増幅器の送出レベルは極めて過大な状態となり、定格をはるかに越える電力の送信信号が出力されてしまう。
【０００４】
【特許文献１】特開２００３−１３３９６９号公報。
【発明の開示】
【発明が解決しようとする課題】
【０００５】
以上述べたように、従来のＡＧＣ回路では、入力信号に瞬停が生じると、その復帰時に出力レベルが過大となり、定格をはるかに越える電力で送信信号が送出されてしまう。  
本発明は上記の問題を解決するためになされたもので、入力信号の瞬停復帰時に生じる過大な出力を確実に抑制することができ、これによって確実に出力信号の電力レベルを定格レベル以下に抑制することのできるＡＧＣ回路を提供することを目的とする。
【課題を解決するための手段】
【０００６】
上記の課題を解決するために、本発明に係るＡＧＣ回路は、入力信号を増幅する増幅器と、この増幅器の出力レベルが設定レベルとなるように、前記増幅器の入力信号を減衰する可変減衰手段と、前記増幅器の出力レベルを検波する検波器と、この検波器の出力を一定期間遅延する遅延器と、この遅延器の入出力間の信号レベルを比較する比較器と、この比較器の比較結果に基づいて前記増幅器の出力を選択的に減衰させる減衰手段とを具備することを特徴とする。
【発明の効果】
【０００７】
本発明によれば、入力信号の瞬停復帰時に生じる過大な出力を確実に抑制することができ、これによって確実に出力信号の電力レベルを定格レベル以下に抑制することのできるＡＧＣ回路を提供することができる。
【発明を実施するための最良の形態】
【０００８】
以下、本発明の実施の形態を詳細に説明する。  
図１は本発明に係るＡＧＣ回路の構成を示すブロック図である。図１において、入力される送信信号はバリオロッサー１１を介して電力増幅器１２に供給され、所定利得で電力増幅されて送出信号となる。ここで、送出信号は第１検波器１３によってその信号レベルが検波されてバリオロッサー１１に通知され、バリオロッサー１１は検波レベルが定格レベルとなるように電力増幅器１２への信号レベルを減衰させる。これにより、電力増幅器１２からは定格レベルでの送信信号が出力される。
【０００９】
上記電力増幅器１２から出力される送信信号は、第１遅延回路１４を介して、選択スイッチ１５及び１６によってパス経路、アッテネータ（ＡＴＴ）１７による減衰経路を選択的に通過し出力される。
一方、上記電力増幅器１２から出力される送信信号は、第２検波器１８によって信号レベルが検波され、遅延時間Ｔ１を持つ第２遅延回路１９を介して比較回路２０に供給されると共に、直接比較回路２０に供給される。比較回路２０は、遅延時間Ｔ１前後の信号レベルを比較して、一致している間は選択スイッチ１５，１６をパス側に接続させ、不一致の期間は選択スイッチ１５，１６をアッテネータ１７側に接続させる機能を有する。  
尚、第１遅延回路１４は、第２検波器１８、第２遅延回路１９及び比較回路２０の処理時間を補償するために設けられたバッファ回路である。
【００１０】
上記構成によるＡＧＣ回路において、図２を参照してその動作を説明する。  
今、図２（ａ）に示すように、ＡＧＣ処理開始後、瞬停時間＝Ｔ２の入力瞬断が生じたとする。このとき、瞬停直後にバリオロッサー１１の減衰量が最小となるため、瞬停からの復帰時に送信信号が最大レベルで電力増幅器１２に入力され、図２（ｂ）に示すように過大なピーク出力が発生する。
【００１１】
一方、瞬停直後に第２遅延回路１９の遅延前後でレベル差が生じるため、比較回路２０からの指示により選択スイッチ１５，１６によってアッテネータ１７の減衰経路が選択される。この状態は、少なくとも第２遅延回路１９の遅延時間Ｔ１の期間は継続されるため、Ｔ１＞＞Ｔ２としておくことで瞬停から復帰後に過大なピーク電力が生じても、図２（ｃ）に示すようにアッテネータ１７によって減衰され、Ｔ１＋Ｔ２時間経過後、電力増幅器出力が安定した時点で、選択スイッチ１５，１６によってパス経路に切り替えられる。よって、瞬停からの復帰時に過大なピーク電力が送出されることはない。
【００１２】
したがって、上記構成によるＡＧＣ回路では、出力段で瞬停直後から瞬停復帰後の電力増幅出力が安定するまでの期間、アッテネータによる出力レベル抑制を行うようにしているので、瞬停復帰直後の過大なピーク電力が送出されることはなくなり、これによって確実に出力信号の電力レベルを定格レベル以下に抑制することができる。  
尚、本発明は送信装置の出力段に用いて効果的であるが、勿論、受信装置の入力段等に用いて過大出力による後段回路の破損保護を図る目的で使用してもよい。  
また、第１の検波器１３と第２の検波器１８を共用することも可能である。
【図面の簡単な説明】
【００１３】
【図１】本発明に係るＡＧＣ回路の一実施形態の構成を示すブロック図。
【図２】図１に示すＡＧＣ回路の動作を説明するための波形図。
【符号の説明】
【００１４】
１１…バリオロッサー、１２…電力増幅器、１３…第１の検波器、１４…第１の遅延回路、１５，１６…選択スイッチ、１７…アッテネータ（ＡＴＴ）、１８…第２の検波器、１９…第２の遅延回路、２０…比較回路。
【図１】
2005277473.tif 000003
【図２】
2005277473.tif 000004